(57)【要約】【課題】屋外で使用する際に風雨の影響を受けない送風式薬剤放散装置とする。【解決手段】吸気口２と排気口３を有する容器４内にファン５と薬剤を設けた送風式薬剤放散器具１と、吸気口カバー部１１と排気口庇部１２と容器挟持部１３を有し、その容器挟持部１３で容器４を挟持して取付け、容器４との間に吸気通路１４を形成するカバー体１０より構成した送風式薬剤放散装置。【選択図】      図１
2004180596.tif 000002
【特許請求の範囲】
【請求項１】
送風式薬剤放散器具１とカバー体１０を備え、
前記送風式薬剤放散器具１は、吸気口２と排気口３を有する容器４内にファン５と薬剤６を設け、ファン５を駆動することで吸気口２から空気を吸い込み薬剤６を通して排気口３から排出するもので、
前記カバー体１０は、吸気口カバー部１１と、排気口庇部１２と、容器挟持部１３を有し、その容器挟持部１３で容器４を挟持して取付けられ、前記容器４とカバー体１０との間に吸気通路１４を形成することを特徴とする送風式薬剤放散装置。
【請求項２】
カバー体１０は、対向した２つの第１の面板と対向した２つの第２の面板で容器４が挿通可能な開口部１０ｅを有する箱形状で、その第１の面板と第２の面板の少なくとも一方で容器４を挟持する容器挟持部１３を形成し、容器４よりも突出した部分で排気口３の周囲を覆って排気口庇部１２を形成し、
容器４の吸気口２が容器４とカバー体１０との間の隙間１５を通って開口部１０ｅに連通して吸気通路１４を形成し、その吸気口２と対向した面板が吸気口カバー部１１を形成する請求項１記載の送風式薬剤放散装置。
【請求項３】
カバー体１０は、容器４が挿通可能な開口部１０ｅを有し、かつ容器４の吸気口２を有する面が嵌合する箱形状で、その嵌合部分が容器挟持部１３を形成し、かつ吸気口２と対向した孔２０と、その孔２０を覆う覆板２１を有し、その覆板２１が吸気口カバー部１１を形成し、その覆板２１と孔２０周縁部との間に大気に開口し前記吸気通路１４を形成する隙間２２を有し、容器４よりも突出した部分で排気口３の周囲を覆って排気口庇部１２を形成している請求項１記載の送風式薬剤放散装置。
【請求項４】
カバー体１０は一対の側面板１０ａと天面板１０ｃでコ字形状で、その一対の側面板１０ａで容器４を挟持して容器挟持部１３を形成し、容器４よりも突出した部分で排気口３の周囲を覆って排気口庇部１２を形成し、吸気口２と対向した側面板１０ａと容器４との間に大気に開口した隙間１５を形成し、その側面板１０ａが吸気口カバー部１１を形成し、前記隙間１５が吸気通路１４を形成する請求項１記載の送風式薬剤放散装置。
【請求項５】
カバー体１０が容器４に揺動自在に取付けられた請求項４記載の送風式薬剤放散装置。
【請求項６】
カバー体１０に、脚部、接着部、吊下部、固着具挿通部の少なくともいずれか１つを設けた請求項１〜５いずれか一項記載の送風式薬剤放散装置。
【請求項７】
カバー体１０の一部に張り出し部を設け、この張り出し部に凹陥部５６を形成すると共に、その開口両端縁部に索条連結部をそれぞれ形成した請求項１〜５いずれか一項記載の送風式薬剤放散装置。
【発明の詳細な説明】
【０００１】
【発明の属する技術分野】
本発明は、殺虫剤、害虫忌避剤、害虫成長阻害剤、殺菌消毒剤、芳香剤、消臭剤等の薬剤をファンを用いて大気に放散する送風式薬剤放散装置に関する。
【０００２】
【従来の技術】
特許文献１に送風式薬剤放散装置が開示されている。
具体的には、吸気口と排気口を有する装置本体内に薬剤とファンを設け、ファンを駆動することで吸気口から空気を吸い込み、その空気を薬剤を通して排気口から大気に排出することで薬剤を大気に放散するものである。
【０００３】
【特許文献１】
実開平６−７５１７９号公報
【０００４】
【発明が解決しようとする課題】
前述した従来の送風式薬剤放散装置を屋外で使用する場合は風雨の影響を受け易く、種々の不具合が発生する恐れがある。
すなわち、吸気口、排気口が直接大気に開口しているので、風によって空気の吸い込み、排出に影響を受け、薬剤を正常に大気を放散できないことがある。
また、吸気口、排気口に雨水が直接当るので、その吸気口、排気口から雨水が内部に浸入することがある。
【０００５】
本発明は前述の課題に鑑みなされたものであって、その目的は、屋外において使用する場合に風雨の影響を受け難いこと、コンパクトで持ち運びが容易であると共に、人が携帯して使用することが可能であること、を満足した送風式薬剤放散装置を提供することである。
【０００６】
【課題を解決するための手段】
第１の発明は、送風式薬剤放散器具１とカバー体１０を備え、
前記送風式薬剤放散器具１は、吸気口２と排気口３を有する容器４内にファン５と薬剤６を設け、ファン５を駆動することで吸気口２から空気を吸い込み薬剤６を通して排気口３から排出するもので、
前記カバー体１０は、吸気口カバー部１１と、排気口庇部１２と、容器挟持部１３を有し、その容器挟持部１３で容器４を挟持して取付けられ、前記容器４とカバー体１０との間に吸気通路１４を形成することを特徴とする送風式薬剤放散装置である。
【０００７】
第２の発明は、第１の発明においてカバー体１０は、対向した２つの第１の面板と対向した２つの第２の面板で容器４が挿通可能な開口部１０ｅを有する箱形状で、その第１の面板と第２の面板の少なくとも一方で容器４を挟持する容器挟持部１３を形成し、容器４よりも突出した部分で排気口３の周囲を覆って排気口庇部１２を形成し、
容器４の吸気口２が容器４とカバー体１０との間の隙間１５を通って開口部１０ｅに連通して吸気通路１４を形成し、その吸気口２と対向した面板が吸気口カバー部１１を形成する送風式薬剤放散装置である。
【０００８】
第３の発明は、第１の発明においてカバー体１０は、容器４が挿通可能な開口部１０ｅを有し、かつ容器４の吸気口２を有する面が嵌合する箱形状で、その嵌合部分が容器挟持部１３を形成し、かつ吸気口２と対向した孔２０と、その孔２０を覆う覆板２１を有し、その覆板２１が吸気口カバー部１１を形成し、その覆板２１と孔２０周縁部との間に大気に開口し前記吸気通路１４を形成する隙間２２を有し、容器４よりも突出した部分で排気口３の周囲を覆って排気口庇部１２を形成している送風式薬剤放散装置である。
【０００９】
第４の発明は、第１の発明においてカバー体１０は一対の側面板１０ａと天面板１０ｃでコ字形状で、その一対の側面板１０ａで容器４を挟持して容器挟持部１３を形成し、容器４よりも突出した部分で排気口３の周囲を覆って排気口庇部１２を形成し、吸気口２と対向した側面板１０ａと容器４との間に大気に開口した隙間１５を形成し、その側面板１０ａが吸気口カバー部１１を形成し、隙間１５が吸気通路１４を形成する送風式薬剤放散装置である。
【００１０】
第５の発明は、第４の発明においてカバー体１０が容器４に揺動自在に取付けられた送風式薬剤放散装置である。
【００１１】
第６の発明は、第１〜第５いずれか１つの発明においてカバー体１０に、脚部、接着部、吊下部、固着具挿通部の少なくともいずれか１つを設けた送風式薬剤放散装置である。
【００１２】
第７の発明は、第１〜第５いずれか１つの発明においてカバー体１０の一部に張り出し部を設け、この張り出し部に凹陥部５６を形成すると共に、その開口両端縁部に索条連結部をそれぞれ形成した送風式薬剤放散装置である。
【００１３】
【作  用】
第１の発明によれば、吸気口カバー部１１で吸気口２がカバーされて直接大気に開口しないし、排気口３の周囲が排気庇部１２で覆われる。
よって、屋外で使用する際に風によって吸気口２からの空気の吸い込み、排気口３からの排出に影響を受けることがなく、薬剤を正常に排気口３から大気に放散でき、吸気口２、排気口３から雨水が入り込むことがなく、風雨の影響を受け難い。
また、カバー体１０の容器挟持部１３で容器４を挟持して取付けるので、その取付け、取外しが容易であると共に、コンパクトで持ち運びが容易であると共に、人が携帯して使用することが可能である。
【００１４】
第２の発明によれば、カバー体１０の開口部１０ｅから容器４を押し込むことで取付けできる。
【００１５】
第３の発明によれば、覆板２１と孔２０周縁部との間の隙間２２から吸気口２が空気を吸い込み、排気口３から放出された薬剤は排気口庇部１２から大気に放散されるので、空気の吸い込み部分と薬剤の放散部分が異なり、薬剤を大気に効率良く放散できる。
【００１６】
第４の発明によれば、容器４にカバー体１０を嵌め込むようにして取付けできる。
【００１７】
第５の発明によれば、カバー体１０を容器４に対して揺動することで、排気口庇部１２の向きを上向き、下向きなどに変更できるから、薬剤を放散する向きを変更できる。
【００１８】
第６の発明によれば、カバー体１０に脚部を設ければ、その脚部を接地して地面に安定して設置できる。
カバー体１０に接着部を設ければ、カバー体１０を建物外壁や塀等に接着して取付けできる。
カバー体１０に吊下部を設ければ、カバー体１０を軒先や木、柱、玄関灯などに吊り下げることができる。
カバー体１０に固着具挿通部を設ければ、建物外壁や塀、軒先や屋外座卓などに固着具で固着して取付けできる。
【００１９】
第７の発明によれば、外灯、柱、立木などの支柱に凹陥部５６を嵌め合せ、索条連結部に亘って索条を連結することで索条と張り出し部で支柱を挟持して取付けできる。
よって、支柱を傷つけずに取付けできる。
【００２０】
【発明の実施の形態】
図１と図２に示すように、送風式薬剤放散器具１とカバー体１０で送風式薬剤放散装置を構成している。
前記送風式薬剤放散器具１は図３と図４に示すように、吸気口２と排気口３を有する容器４内にファン５と薬剤６を設け、そのファン５を駆動することで吸気口２から空気を吸い込み、その空気を薬剤６を通して排気口３から排出し、薬剤６を大気に放散するものである。
【００２１】
前記カバー体１０は、吸気口２が直接大気に開口しないようにする吸気口カバー部１１と、排気口３の周囲を覆う排気口庇部１２と、前記容器４を挟持する容器挟持部１３を有し、その容器挟持部１３で容器４を挟持することで取付けられ、容器４とカバー体１０との間に吸気口２を大気に開口する吸気通路１４を形成する。
【００２２】
次に、各部材の具体形状を説明する。
前記容器４は対向した一対の側面板４ａと、対向した一対の端面板４ｂと、対向した天面板４ｃと下面板４ｄで所定の幅と高さと長さを有する箱形状で、その一方の側面板４ａに吸気口２、一方の端面板４ｂに排気口３が形成されている。
前記容器４の内部には送風室４ｅ、薬剤室４ｆ、電池室４ｇが形成され、送風室４ｅにファン５とモータ７が設けられ、薬剤室４ｆに薬剤６が設けられ、電池室４ｇに電池８が設けられる。
前記薬剤６は薬剤保持体形態としてある。例えば、薬剤含有体６ａを通気性容器６ｂに収納したものである。
【００２３】
なお、図５（ａ）に示すように薬剤保持体をプレート形状とし、天面板４ｃの開口部９から挿入して取付けるようにしても良い。
図５（ｂ）に示すように薬剤保持体をファン５の外部に嵌着して取付けるようにしても良い。
【００２４】
前記カバー体１０は、対向した一対の側面板１０ａと、一端面板１０ｂと、対向した天面板１０ｃと底面板１０ｄで所定の幅と高さと長さを有すると共に、他端面が開口した箱形状で、その幅（一対の側面板１０ａ間の寸法）は容器４の幅（一対の側面板４ａ間の寸法）よりも大きく、その高さ（天面板１０ｃと底面板１０ｄとの間の寸法）は容器４の高さ（天面板４ｃと底面板４ｄとの間の寸法）と同一で、その長さは容器４の長さ（一対の端面板４ｂ間の寸法）より大きい。
【００２５】
前記容器４はカバー体１０の開口部１０ｅからカバー体１０内に押し込みされて天面板４ｃ、底面板４ｄがカバー体１０の天面板１０ｃ、底面板１０ｄに圧接すると共に、端面板４ｂが一端面板１０ｂに当る。つまり、カバー体１０の天面板１０ｃと底面板１０ｄが前述の容器挟持部１３である。一端面板１０ｂが挿入止めである。
一方の側面板１０ａが容器４の一方の側面板４ａと隙間１５を置いて対向して吸気口２をカバーし、前述の吸気口カバー部１１を形成する。この隙間１５は開口部１０ｅまで連続して前記吸気通路１４を形成する。
カバー体１０は容器４が収納される容器収納部分１０−１と、容器４よりも突出して排気口３の周囲を覆う開口部分１０−２を有し、その開口部分１０−２が前述の排気口庇部１２を形成し、その開口部１０ｅが排気口３と対向する。
【００２６】
図６と図７は第２の実施の形態を示し、カバー体１０の幅を上部が広く、下部が狭くし、その下部の幅を容器４の幅と同一とし、その一対の側面板１０ａの下部を容器挟持部１３とする。
一方の側面板１０ａの上部と容器４の吸気口２を有する一方の側面板４ａとの間に隙間１５を形成し、その一方の側面板１０ａの上部を吸気口カバー部１１とする。この隙間１５は開口部１０ｅに連通して吸気通路１４を形成する。
カバー体１０の開口部１０ｅにおける下部に係止板１６を設ける。この係止板１６は開口側が低く、奥側が高くなるように水平に対して傾斜している。
【００２７】
このようにすることで、容器４を、係止板１６を越えて内に押し込むことで、その係止板１６が容器４の抜け出しを防止する。
【００２８】
図８に示すように、カバー体１０の一端面板１０ｂを天面板１０ｃ寄りにのみ設け、下方部分を開放しても良い。
この場合には容器４は一端面板１０ｂに当り、その一端面板１０ｂが挿入止めである。
【００２９】
図９と図１０は第３の実施の形態を示し、底面板１０ｄの一方の側面板１０ａ寄り部分１７を厚肉とし、この厚肉部分１７と他方の側面板１０ａで容器４の下部を挟持し、前述の容器挟持部１３としてある。
なお、図１１に示すように一方の側面板１０ａの上部寄りを鉤形状とし、その鉤形状部１８と他方の側面板１０ａの上部とでも容器４の上部を挟持するようにしても良い。
【００３０】
図１２と図１３は第４の実施の形態を示し、容器４の幅とカバー体１０の幅が同一で、一対の側面板１０ａが容器挟持部１３を形成する。
容器４の吸気口２が形成された一方の側面板４ａと対向した一方の側面板１０ａにおける吸気口２と対向した部分１９がコ字形状で、そのコ字形状部分１９と一方の側面板４ａとの間に隙間１５を形成し、そのコ字形状部分１９が吸気口カバー部１１である。前記隙間１５が大気に開口し吸気通路１４を形成する。
【００３１】
この実施の形態においては一端面板１０ｂがなく、天面板１０ｃが底面板１０ｄと平行に対して開口部１０ｅ側が高くなるように傾斜し、開口部１０ｅと反対側の高さが容器４の高さよりも低い。
よって、容器４を開口部１０ｅからカバー体１０の内部に押し込むことで天面板４ｃに当り、天面板１０ｃが挿入止めである。
【００３２】
なお、前述した第２〜第４の実施の形態においては、容器４の高さとカバー体１０の高さを同一として天面板１０ｃと底面板１０ｄでも容器４を挟持するようにしても良い。
【００３３】
前述した第１〜第４の実施の形態のカバー体１０は、対向した２つの第１の面板（例えば一対の側面板１０ａ）と対向した２つの第２の面板（例えば天面板１０ｃと底面板１０ｄ）によって容器４が挿通する開口部１０ｅを有するほぼ箱形状で、第１の面板と第２の面板の少なくとも一方が容器挟持部１３で、容器４の吸気口２と対向した１つの面板が吸気口カバー部１１で、かつ容器４の吸気口２を形成した面との間に吸気通路１４を形成する開口部１０ｅまで連続した隙間１５を形成し、容器４の排気口３よりも突出した部分が排気口庇部１２を形成するものである。
そして、前記カバー体１０は抜け止め用の係止板１６を備えていることが好ましい。
【００３４】
図１４と図１５は第５の実施の形態を示し、カバー体１０の幅と容器４の幅を同一として一対の側面板１０ａが容器挟持部１３である。カバー体１０は一端面板１０ｂを備えておらず両端部が開口した箱形状である。
容器４の吸気口２が形成された一方の側面板４ａと対向した一方の側面板１０ａに吸気口２と対向した孔２０を形成すると共に、その孔２０と対向する覆板２１を設け、この覆板２１と側面板１０ａとの間における左右、下の３方（孔２０の周縁部分）に隙間２２を形成して覆板２１を吸気口カバー部１１とし、その隙間２２を吸気通路１４とする。
天面板１０ｃは第４の実施の形態と同様に傾斜し、開口部１０ｅ寄りが容器４よりも高く、反対側が容器４より低くなり、容器４を開口部１０ｅから押し込むと天面板１０ｃに当り、天面板１０ｃが挿入止めである。
【００３５】
図１６と図１７は第６の実施の形態を示し、前述の覆板２１をコ字形状として左右の２方に隙間２２を設けてある。
カバー体１０の容器収納部分１０−１の天面板１０ｃは底面板１０ｄと平行で、開口部分１０−２の天面板１０ｃは傾斜している。
容器４は開口部１０ｅと反対側の開放部から押し込みされ、側面板１０ａの内面に設けたストッパ片２３に当って開口部１０ｅ側に押し込められないようにしてある。つまり、ストッパ片２３が前述の挿入止めである。
【００３６】
図１８に示すように、容器収納部１０−１の幅を容器４の幅と同一とし、開口部分１０−２の幅を容器４の幅よりも小さくして段差部２４を有する形状とし、開口部１０ｅと反対側の開放部から押し込んだ容器４が段差部２４に当り、その段差部２４が挿入止めとなるようにしても良い。
【００３７】
前述の第５、第６の実施の形態におけるカバー体１０は、対向した２つの第１の面板（例えば一対の側面板１０ａ）と対向した２つの第２の面板（例えば天面板１０ｃ、底面板１０ｄ）によって容器４が挿通するほぼ箱形状で、第１の面板が容器挟持部１３を形成し、その第１の面板に吸気口２に開口した孔２０と、その孔２０を覆う覆板２１を設けたもので、その覆板２１が吸気口カバー部１１を形成する。孔２０の開口縁部と覆板２１との間に隙間２２を形成し、その隙間２２が吸気通路１４である。
【００３８】
前述の第１〜第６の実施の形態におけるカバー体１０に脚部を設けて屋外に安定して設置できるようにしても良い。
例えば、図１９に示すように底面板１０ｄに一対の脚片３０を幅方向に間隔を置いて長手方向に設けて脚部とする。
前記一対の脚片３０の間隔は上部が狭く、下部が広くなって安定して設置できるようにしてある。
【００３９】
この実施の形態ではカバー体１０は、一端面板１０ｂがなく長手方向両側が開口した形状で、かつ底面板１０ｄが不連続で、その底面板１０ｄの対向端面に脚片３０が一体的に設けてある。
この形態であれば、脚片３０を有するカバー体１０を一枚の板を折り曲げ加工して製作できる。
また、第１の実施の形態と同様に底面板１０ｄと天面板１０ｃで容器挟持部１３を形成している。挿入止めは第６の実施の形態と同様に抜け止め片を設ければ良い。
【００４０】
また、底面板１０ｄを一体連続として一対の脚片３０を設けても良いし、一対の側面板１０ａの長手方向全長を底面板１０ｄよりも下方に突出して脚部としたり、一対の側面板１０ａの長手方向両端部分のみを底面板１０ｄよりも下方に突出して脚部としても良い。この場合は突出した部分を尖端形状として地面等に貫入して設置できるようにすることが好ましい。
また、一対の側面板１０ａの下方部分内面に底面板１０ｄを斜めにそれぞれ設け、底面板１０ｄを不連続とすると共に、側面板１０ａの底面板１０ｄよりも下方に突出した部分を尖端形状として脚部としても良い。
また、一対の側面板１０ａの下端部分にくさび片をそれぞれ一体的に設け、この一対のくさび片の上面で底面板１０ｄとすると共に、一対のくさび片で脚部としても良い。
【００４１】
前述した脚部を設けるのは、第１の実施の形態に限ることはなく、第２〜第６の実施の形態にも適用できることは勿論である。
【００４２】
前記カバー体１０はコ字形状としても良い。
例えば、図２０と図２１に示すように、一対の側面板１０ａと天面板１０ｃで下向きのコ字形状とし、その一対の側面板１０ａを垂直に対して斜めで上部の間隔が容器４の幅よりも広く、下部の間隔が容器４の幅と同一、好ましくは狭くする。
このようにすることで、一対の側面板１０ａの下端部分４０で容器４の一対の側面板４ａを挟持して容器挟持部１３を形成し、側面板１０ａの上方部分と容器４の側面板４ａとの間に隙間１５を形成するので側面板１０ａの吸気口２と対向した部分が吸気口カバー部１１を形成する。前記各下端部分４０は相互に平行で、容器４をしっかりと挟持できるようにしてある。
カバー体１０の長手方向一端部分が容器４よりも突出し、その突出した部分が排気口３の周囲を覆い、前述の排気口庇部１２を形成する。
【００４３】
なお、一対の側面板１０ａを容器４の一対の側面板４ａに接して挟持するようにし、その一方の側面板１０ａにおける吸気口２と対向した部分を、第４、第５、第６の実施の形態と同様にコ字形状に突出したり、孔と覆板を設けて吸気口２を大気に連通するようにしても良い。
【００４４】
また、前記コ字形状のカバー体１０を容器４に揺動可能に取付けても良い。
例えば、図２２と図２３に示すように一対の側面板１０ａの下端部分４０に突起４１を設け、容器４の側面板４ａに凹部４２を設け、その突起４１を凹部４２に嵌合して回動自在とする。
このようにすれば、カバー体１０を上下に揺動することで排気口庇部１２の向きを上向き、横向き、下向きなどに変更できるので、薬剤の放出方向を調整できる。
【００４５】
なお、側面板１０ａの下端部分４０を円形とし、容器４の側面板４ａに下端部分４０を回動自在に支持するリング形状部分を形成してカバー体１０を容器４に揺動可能に取付けしても良い。
【００４６】
また、図２４に示すように容器４の側面板４ａにリング状突片４３を吸気口２と同心状に設け、カバー体１０の側面板１０ａに円形凹部４４を形成し、この円形凹部４４とリング状突片４３を嵌め合せてカバー体１０を容器４に揺動自在に取付けても良い。
この場合には、一方のリング状突片４３と一方の円形凹部４４との間に空洞部４５を形成し、この空洞部４５を円形凹部４４の周面下部寄りに形成した孔４６で大気に開口することで吸気口２を大気に連通する吸気通路１４とする。
そして、円形凹部４４の底面が吸気口カバー部１１を形成する。
なお、吸気口２がない側面板４ａと対向した側面板１０ａに形成した円形凹部４４は、円形孔としてリング状突片４３に回転自在に嵌まり合うようにしても良い。
【００４７】
前述の各実施の形態ではカバー体１０は容器４の一方側にのみ突出して排気口庇部１２を１つとしたが、カバー体１０を容器４の両方側からそれぞれ突出して排気口庇部１２を２つとしても良い。
例えば、図２５に示すようにカバー体１０を一対の側面板１０ａと天面板１０ｃと底面板１０ｄで両側方が開口した箱形状とし、そのカバー体１０の長手方向中間部に容器４を押し込んで挟持することで容器４の両方側からそれぞれ突出させ、排気口庇部１２を両側方にそれぞれ形成する。
【００４８】
このようにすれば、容器４の各端面板４ｂに排気口３を有する場合に、各排気口３の周囲に覆うことができると共に、各排気口３から薬剤をそれぞれ大気に放出できる。
【００４９】
前述した排気口庇部１２の突出した部分の長さは自由であり、使用場面に応じてより長くすることもでき、風除けができ被対象物への薬剤到達がより確実になる。また、床下や隙間などの場面にも有効である。
【００５０】
前述の各実施の形態に示すカバー体１０を、建物外壁や塀等に取付けるようにすることも出来る。
例えば、カバー体１０の側面板１０ａに接着剤、粘着ワッペン等の接着手段を設けて接着部とし、この接着部で接着して取付ける。
また、図２６に示すように、側面板１０ａを底面板１０ｄよりも下方に突出させ、その突出部分に穴５０を形成して固着具挿通部とする。その穴５０から釘、ねじなどの固着具によって固着して取付ける。
また、図２７に示すように、天面板１０ｃの側面板１０ａ寄りに立上り片５１を設け、この立上り片５１に穴５２を形成して固着具挿通部とする。この穴５２から釘、ねじなどの固着具によって固着して取付ける。
【００５１】
前述の各実施の形態に示すカバー体１０を、軒先や木、柱、玄関灯などに吊り下げるようにすることも出来る。
例えば、前述した図２７に示す立上り片５１の穴５２に紐を通して吊下部とする。この紐で吊り下げる。
また、図２８に示すように、天面板１０ｃの両端部を側面板１０ａよりも突出して突出片５３を形成し、この突出片５３に穴５４を形成する。この穴５４に紐を通して吊下部とする。この紐で吊り下げる。
【００５２】
前述の図２８に示すカバー体１０であれば、突出片５３の穴５４を固着具挿通部とすることができる。よって穴５４から釘、ねじなどの固着具で固着することで、軒先や屋外座卓などに取付けることもできる。
【００５３】
前述の各実施の形態に示すカバー体１０は、外灯、柱、立木などの支柱に、その支柱を傷つけずに取付けできるようにすることも出来る。
例えば、図２９に示すように天面板１０ｃを側面板１０ａよりも側方に突出して張り出し部、例えば張り出し片５５とし、この張り出し片５５に凹陥部５６を形成すると共に、その開口両端縁部に索条連結部、例えば穴５７をそれぞれ形成する。
【００５４】
そして、凹陥部５６を支柱に嵌め合せ、一対の穴５７に亘って索条、例えば紐を連結することで、張り出し片５５と紐で支柱を挟持するようにして取付ける。
このようにすることで、釘打ち等せずに取付けできるから、支柱を傷つけることがない。
【００５５】
前述の容器４のカバー体１０への取付け状態として、前述の実施の形態では容器４を長手方向に立てた状態で挟持しているが、容器４の排気口３がカバー体１０の開放方向に向かっていればよく、容器４を横手方向に寝かせた状態で挟持するようにカバー体１０を設計することもできる。
【００５６】
カバー体１０の固定手段として、前述の実施の形態の他に、天面板１０ｃにコ字状に曲がったフックを設け、棒、止め具や木の枝などに引っかけて使用、側面板１０ａの裏側に舌片状のクリップを設け、テーブルなどの側端や人間などのベルトなどに挟み込んで使用、或いは天面板１０ｃや側面板１０ａに目印の凹状ラインを設け、目印に紐や針金を当て被対象物に括って使用、などが挙げられる。
また、これら固定手段を複数組み合わせて設けることもでき、この事により広範囲の場面で使用することが可能である。
【００５７】
【発明の効果】
請求項１に係る発明によれば、吸気口カバー部１１で吸気口２がカバーされて直接大気に開口しないし、排気口３の周囲が排気口庇部１２で覆われる。
よって、屋外で使用する際に風によって吸気口２からの空気の吸い込み、排気口３からの排出に影響を受けることがなく、薬剤を正常に排気口庇部１２から大気に放散でき、吸気口２、排気口３から雨水が入り込むことがなく、風雨の影響を受け難い。
また、カバー体１０の容器挟持部１３で容器４を挟持して取付けるので、その取付け、取外しが容易であると共に、コンパクトで持ち運びが容易であると共に、人が携帯して使用することが可能である。
【００５８】
請求項２に係る発明によれば、カバー体１０の開口部１０ｅから容器４を押し込むことで取付けできる。
【００５９】
請求項３に係る発明によれば、覆板２１と孔２０周縁部との間の隙間２２から吸気口２が空気を吸い込み、排気口３から放出された薬剤は排気口庇部１２から大気に放散されるので、空気の吸い込み部分と薬剤の放散部分が異なり、薬剤を大気に効率良く放散できる。
【００６０】
請求項４に係る発明によれば、容器４にカバー体１０を嵌め込むようにして取付けできる。
【００６１】
請求項５に係る発明によれば、カバー体１０を容器４に対して揺動することで、排気口庇部１２の向きを上向き、下向きなどに変更できるから、薬剤を放散する向きを変更できる。
【００６２】
請求項６に係る発明によれば、カバー体１０に脚部を設ければ、その脚部を接地して地面に安定して設置できる。
カバー体１０に接着部を設ければ、カバー体１０を建物外壁や塀等に接着して取付けできる。
カバー体１０に吊下部を設ければ、カバー体１０を軒先や木、柱、玄関灯などに吊り下げることができる。
カバー体１０に固着具挿通部を設ければ、建物外壁や塀、軒先や屋外座卓などに固着具で固着して取付けできる。
【００６３】
請求項７に係る発明によれば、外灯、柱、立木などの支柱に凹陥部５６を嵌め合せ、索条連結部に亘って索条を連結することで索条と張り出し部で支柱を挟持して取付けできる。
よって、支柱を傷つけずに取付けできる。
【図面の簡単な説明】
【図１】第１の実施の形態の斜視図である。
【図２】図１の側面図である。
【図３】送風式薬剤揮散器具の斜視図である。
【図４】送風式薬剤放散器具の断面図である。
【図５】送風式薬剤放散器具の他の例を示す断面図である。
【図６】第２の実施の形態を示す斜視図である。
【図７】図６の側面図である。
【図８】カバー体の他の例を示す側面図である。
【図９】第３の実施の形態を示す斜視図である。
【図１０】図９の側面図である。
【図１１】カバー体の他の例を示す側面図である。
【図１２】第４の実施の形態を示す斜視図である。
【図１３】図１２の側面図である。
【図１４】第５の実施の形態を示す斜視図である。
【図１５】図１４の側面図である。
【図１６】第６の実施の形態を示す斜視図である。
【図１７】図１６の側面図である。
【図１８】カバー体の他の例を示す側面図である。
【図１９】第７の実施の形態を示す斜視図である。
【図２０】第８の実施の形態を示す斜視図である。
【図２１】図２０の側面図である。
【図２２】第９の実施の形態を示す斜視図である。
【図２３】図２２の側面図である。
【図２４】第１０の実施の形態を示す一部破断側面図である。
【図２５】第１１の実施の形態を示す斜視図である。
【図２６】第１２の実施の形態を示す斜視図である。
【図２７】第１３の実施の形態を示す斜視図である。
【図２８】第１４の実施の形態を示す斜視図である。
【図２９】第１５の実施の形態を示す斜視図である。
【符号の説明】
１…送風式薬剤放散器具、２…吸気口、３…排気口、４…容器、５…ファン、６…薬剤、１０…カバー体、１０ａ…側面板、１０ｂ…一端面板、１０ｃ…天面板、１０ｄ…底面板、１０ｅ…開口部、１１…吸気口カバー部、１２…排気口庇部、１３…容器挟持部、１４…吸気通路、１５…隙間、２０…孔、２１…覆板、２２…隙間。
【図１】
2004180596.tif 000003
【図２】
2004180596.tif 000004
【図３】
2004180596.tif 000005
【図４】
2004180596.tif 000006
【図５】
2004180596.tif 000007
【図６】
2004180596.tif 000008
【図７】
2004180596.tif 000009
【図８】
2004180596.tif 000010
【図９】
2004180596.tif 000011
【図１０】
2004180596.tif 000012
【図１１】
2004180596.tif 000013
【図１２】
2004180596.tif 000014
【図１３】
2004180596.tif 000015
【図１４】
2004180596.tif 000016
【図１５】
2004180596.tif 000017
【図１６】
2004180596.tif 000018
【図１７】
2004180596.tif 000019
【図１８】
2004180596.tif 000020
【図１９】
2004180596.tif 000021
【図２０】
2004180596.tif 000022
【図２１】
2004180596.tif 000023
【図２２】
2004180596.tif 000024
【図２３】
2004180596.tif 000025
【図２４】
2004180596.tif 000026
【図２５】
2004180596.tif 000027
【図２６】
2004180596.tif 000028
【図２７】
2004180596.tif 000029
【図２８】
2004180596.tif 000030
【図２９】
2004180596.tif 000031